(57)【要約】【課題】電気光学装置の完成後の測定を可能として測定の結果の有効性を向上させる。【解決手段】第１モードにおいて入出力端子Ｔ２から供給される測定信号Ｆは、データ線１４（Ｇ）を介して駆動トランジスタＮＨ１のゲートに供給され、入出力端子Ｔ４から供給される測定信号Ｆは、データ線１４（Ｇ）に隣接するデータ線１４（Ｂ）を介して駆動トランジスタＮＨ１のソースに供給される。一方、駆動トランジスタンＮＨ１のソース電圧hが被測定信号として電位線１７（Ｇ）を介して出力される。【選択図】図８
2007256733.tif 000002
【特許請求の範囲】
【請求項１】
複数のデータ線の各々に画素が接続された電気光学装置であって、
前記複数のデータ線の各々に対応して設けられた複数の入出力端子と、
各画素について指定された階調に応じたデータ信号をデータ線ごとに生成する信号生成
部と、
駆動モードにおいて前記データ信号を前記入出力端子を介して対応する前記データ線に
供給し、測定モードにおいて測定の対象となる画素に対応するデータ線及び当該データ線
に隣接するデータ線に対応する前記入出力端子を介して、当該画素の構成要素の特性を測
定するための測定信号及び前記構成要素の測定結果を示す被測定信号の入出力を行う入出
力部と、
前記画素は、駆動モードにおいて対応する前記データ線を介して供給される前記データ
信号を取り込み、前記測定モードにおいて対応する前記データ線及び当該データ線に隣接
するデータ線を介して前記測定信号を取り込むと共に前記被測定信号を出力する選択部と
を、
備えたことを特徴とする電気光学装置。
【請求項２】
前記複数のデータ線の各々と対になる複数の電位線と、
基準電位が供給される基準電位線と、
前記駆動モードにおいて、前記複数のデータ線と前記複数の入出力端子とを接続すると
共に、前記基準電位線と前記複数の電位線とを接続し、前記測定モードにおいて、前記複
数のデータ線及び前記複数の電位線と前記複数の入出力端子とを選択的に接続する信号切
替部とを備え、
前記入出力部は、前記信号切替部によって、前記測定モードにおいて測定の対象となる
画素に対応するデータ線及び電位線、並びに当該データ線に隣接するデータ線及び当該電
位線に隣接する電位線と接続された前記入出力端子を介して、前記測定信号及び前記被測
定信号を入出力する、
ことを特徴とする請求項１に記載の電気光学装置。
【請求項３】
前記測定モードでは、Ｎ（Ｎは２以上の自然数）個の画素おきに前記構成要素の特性を
測定し、測定の対象となる画素をずらして測定をＮ回繰り返し、
前記入出力部は、測定の対象となる画素の変更に伴って前記測定信号及び前記被測定信
号を入出力する前記入出力端子を変更する、
ことを特徴とする請求項１又は２に記載の電気光学装置。
【請求項４】
前記画素は、
前記データ信号に応じた駆動電流を出力するトランジスタと、
前記駆動電流に応じた輝度で発光する電気光学素子とを備え、
測定の対象となる構成要素は前記トランジスタであり、前記測定信号は前記トランジス
タのゲート電位を与え、前記被測定信号は前記トランジスタのソース電位及びドレイン電
位の少なくとも一方である、
ことを特徴とする請求項２に記載の電気光学装置。
【請求項５】
前記画素は、
前記データ信号に応じた駆動電流を出力するトランジスタと、
前記駆動電流に応じた輝度で発光する電気光学素子とを備え、
測定の対象となる構成要素は前記電気光学素子であり、前記測定信号は前記電気光学素
子に印加する電圧であり、前記被測定信号は前記電気光学素子に流れる電流である、
ことを特徴とする請求項２に記載の電気光学装置。
【請求項６】
前記測定モードで得られた前記被測定信号に基づいて前記画素間の輝度が均一に近づく
ように生成した補正データを記憶する記憶部と、
前記記憶部から読み出した前記補正データを用いて前記画素の階調を示す階調データを
補正して補正済階調データを生成する補正部とを備え、
前記信号生成部は、前記補正済階調データに基づいて前記データ信号を生成する、
ことを特徴とする請求項１乃至５のうちいずれか1項に記載の電気光学装置。
【請求項７】
前記補正データは、前記トランジスタの閾値電圧に対応する第１の係数と前記トランジ
スタの電流増幅率に対応する第２の係数を示すものであり、
前記補正部は、前記第１の係数に基づいて前記階調データに加算処理を行うと共に前記
第２の係数に基づいて前記階調データに乗算処理を行って前記補正済階調データを生成す
る、
ことを特徴とする請求項６に記載の電気光学装置。
【請求項８】
前記駆動モードと前記測定モードを指定し、前記駆動モードを垂直走査期間の一部の期
間に割り当て、前記測定モードを前記垂直走査期間のうち残りの期間に割り当てる制御部
を備えたことを特徴とする請求項１乃至７のうちいずれか１項に記載の電気光学装置。
【請求項９】
請求項１乃至８のうちいずれか１項に記載した電気光学装置を備えた電子機器。
【請求項１０】
複数のデータ線の各々に接続された複数の画素と前記複数のデータ線の各々に対応して
設けられた複数の入出力端子とを備えた電気光学装置の駆動方法であって、
駆動モードにおいて、
各画素について指定された階調に応じたデータ信号をデータ線ごとに生成し、
前記データ信号を前記入出力端子を介して対応する前記データ線に供給し、
前記データ線を介して供給される前記データ信号を各画素に取り込み、
測定モードにおいて、
測定の対象となる画素に対応するデータ線及び当該データ線に隣接するデータ線に対応
する前記入出力端子を介して、当該画素の構成要素の特性を測定するための測定信号及び
前記構成要素の測定結果を示す被測定信号を入出力し、
測定の対象となる画素に対応するデータ線及び当該データ線に隣接するデータ線を介し
て前記測定信号を取り込むと共に前記被測定信号を出力する、
ことを特徴とする電気光学装置の駆動方法。
【請求項１１】
前記電気光学装置は、前記複数のデータ線の各々と対になる複数の電位線と、基準電位
が供給される基準電位線とを備え、
前記駆動モードにおいて、
前記複数のデータ線と前記複数の入出力端子とを接続すると共に、前記基準電位線と前
記複数の電位線とを接続し、
前記測定モードにおいて、
前記複数のデータ線及び前記複数の電位線と前記複数の入出力端子とを選択的に接続し
、
測定の対象となる画素に対応するデータ線及び電位線、並びに当該データ線に隣接する
データ線及び当該電位線に隣接する電位線と接続された前記入出力端子を介して、前記測
定信号及び前記被測定信号を入出力する、
ことを特徴とする請求項１０に記載の電気光学装置の駆動方法。
【請求項１２】
前記測定モードで得られた前記被測定信号に基づいて前記画素間の輝度が均一に近づく
ように生成した補正データを記憶し、
記憶した前記補正データを用いて前記画素の階調を示す階調データを補正して補正済階
調データを生成し、
前記補正済階調データに基づいて前記データ信号を生成する、
ことを特徴とする請求項１０又は請求項１１に記載の電気光学装置の駆動方法。
【発明の詳細な説明】
【技術分野】
【０００１】
本発明は、ＯＬＥＤ（Organic  Light  Emitting  Diode）素子などの電気光学素子を
備えた電気光学装置、この種の電気光学装置を駆動する方法及び電気光学装置を備えた電
子機器に関する。
【背景技術】
【０００２】
電気光学装置は、複数の走査線と複数のデータ線との各交差に対応して基板上に配列さ
れた複数の画素を有し、各データ線に供給されるデータ信号に応じて画素の階調が制御さ
れる。画素には、各種の回路が考えられるが、電気光学素子としてのＯＬＥＤ素子とこれ
に駆動電流を供給するトランジスタを備えるものが知られている。このような画素におい
てトランジスタの特性（例えば、閾値電圧）やＯＬＥＤ素子の特性などのバラツキに起因
して、各画素の輝度が不均一となる。
これを解消するため、特許文献１には、画素を構成するトランジスタの電気的特性を測
定し、測定結果に応じた補正データとＯＬＥＤ素子の劣化を予測した劣化予測データを製
品の出荷前に予め記憶しておき、補正データ及び劣化予測データを用いて補正する技術が
開示されている。
【特許文献１】特開２００４−１４５２５７号公報（段落番号００２４）
【発明の開示】
【発明が解決しようとする課題】
【０００３】
しかしながら、特許文献１に開示された技術においては、製品の出荷前に補正データを
記憶するため、エンドユーザに製品が渡った後に、トランジスタの電気的特性が変化して
もこれを補正することができなかった。また、ＯＬＥＤ素子の劣化はあくまでも予測であ
るので、正確な補正は困難であった。
くわえて、トランジスタやＯＬＥＤ素子の特性を測定するためには、表示のために用い
る配線とは別に測定用の配線を設ける必要があった。
本発明は、このような事情に鑑みてなされたものであり、電気光学装置の完成後の測定
を可能として測定の結果の有効性を向上させることを解決課題とする。
【課題を解決するための手段】
【０００４】
この課題を解決するために、本発明に係る電気光学装置は、複数のデータ線の各々に画
素が接続されたものであって、前記複数のデータ線の各々に対応して設けられた複数の入
出力端子と、各画素について指定された階調に応じたデータ信号をデータ線ごとに生成す
る信号生成部（例えば、実施形態のデータ線駆動回路２４）と、駆動モードにおいて前記
データ信号を前記入出力端子を介して対応する前記データ線に供給し、測定モードにおい
て測定の対象となる画素に対応するデータ線及び当該データ線に隣接するデータ線に対応
する前記入出力端子を介して、当該画素の構成要素（例えば、実施形態の駆動トランジス
タＮＨ１やＯＬＥＤ素子１１）の特性を測定するための測定信号及び前記構成要素の測定
結果を示す被測定信号の入出力を行う入出力部（例えば、実施形態のトランジスタＴｒ）
と、前記画素は、駆動モードにおいて対応する前記データ線を介して供給される前記デー
タ信号を取り込み、前記測定モードにおいて対応する前記データ線及び当該データ線に隣
接するデータ線を介して前記測定信号を取り込むと共に前記被測定信号を出力する選択部
（例えば、実施形態のトランジスタＮ２〜Ｎ４、ＮＴ１、ＮＴ２）とを備えたことを特徴
とする。
【０００５】
この発明によれば、測定の対象となる画素に対応するデータ線の他、隣接する画素のデ
ータ線を用いて測定信号と被測定信号とを伝送する。すなわち、隣接するデータ線を測定
に兼用するので、測定用に特別の配線を設ける必要がなくなるか、あるいは、測定用の配
線の数を減らすことができる。さらに、測定信号及び被測定信号を、駆動モードにおいて
データ信号を入力するための入出力端子を介して、入出力するので新たに入出力端子を設
ける必要がない。くわえて、駆動用の入出力端子を用いて構成要素の測定を実行できるの
で、電気光学装置の完成後に測定を行うことが可能となる。
【０００６】
上述した電気光学装置において、前記複数のデータ線の各々と対になる複数の電位線と
、基準電位が供給される基準電位線と、前記駆動モードにおいて、前記複数のデータ線と
前記複数の入出力端子とを接続すると共に、前記基準電位線と前記複数の電位線とを接続
し、前記測定モードにおいて、前記複数のデータ線及び前記複数の電位線と前記複数の入
出力端子とを選択的に接続する信号切替部とを備え、前記入出力部は、前記信号切替部に
よって、前記測定モードにおいて測定の対象となる画素に対応するデータ線及び電位線、
並びに当該データ線に隣接するデータ線及び当該電位線に隣接する電位線と接続された前
記入出力端子を介して、前記測定信号及び前記被測定信号を入出力することが好ましい。
この発明によれば、データ線と電位線の組とこれに隣接するデータ線と電位線の組みを用
いて測定信号及び被測定信号を伝送することができるので、伝送する信号の数を増やすこ
とができ、構成要素の特性を詳細に得ることが可能となる。
【０００７】
より具体的には、前記測定モードでは、Ｎ（Ｎは２以上の自然数）個の画素おきに前記
構成要素の特性を測定し、測定の対象となる画素をずらして測定をＮ回繰り返し、前記入
出力部は、測定の対象となる画素の変更に伴って前記測定信号及び前記被測定信号を入出
力する前記入出力端子を変更することが好ましい。入出力端子の数は限られているので、
測定信号及び被測定信号の数が多いと、測定用に入出力端子を増設することも考えられる
が、この発明によれば、Ｎ回に分けて特性を測定するので、入出力端子を増設することな
く構成要素の特性を測定することができる。なお、Ｎ回の測定のうち１回の測定で複数の
画素の特性を測定してもよいことは勿論である。例えば、画素が複数の表示色に対応して
いる場合、表示色ごとに測定を実行してもよい。この場合には、同一の表示色の画素につ
いては、同時に測定が実行される。したがって、１つの画素ごとに測定する場合と比較し
て測定時間を短縮することができる。
【０００８】
ここで、前記画素は、前記データ信号に応じた駆動電流を出力するトランジスタと、前
記駆動電流に応じた輝度で発光する電気光学素子とを備え、測定の対象となる構成要素は
前記トランジスタであり、前記測定信号は前記トランジスタのゲート電位を与え、前記被
測定信号は前記トランジスタのソース電位及びドレイン電位の少なくとも一方であること
が好ましい。この場合には、駆動トランジスタの電気的特性を測定することができる。
【０００９】
また、前記画素は、前記データ信号に応じた駆動電流を出力するトランジスタと、前記
駆動電流に応じた輝度で発光する電気光学素子とを備え、測定の対象となる構成要素は前
記電気光学素子であり、前記測定信号は前記電気光学素子に印加する電圧であり、前記被
測定信号は前記電気光学素子に流れる電流であってもよい。この場合には電気光学素子の
特性を測定することができる。
【００１０】
上述した電気光学装置において、前記測定モードで得られた前記被測定信号に基づいて
前記画素間の輝度が均一に近づくように生成した補正データを記憶する記憶部と、前記記
憶部から読み出した前記補正データを用いて前記画素の階調を示す階調データを補正して
補正済階調データを生成する補正部とを備え、前記信号生成部は、前記補正済階調データ
に基づいて前記データ信号を生成することが好ましい。この発明によれば、測定結果に基
づいて生成された補正データに基づいて階調データに補正を施すので、画素間の輝度のば
らつきを低減することができる。
【００１１】
ここで、前記補正データは、前記トランジスタの閾値電圧に対応する第１の係数と前記
トランジスタの電流増幅率に対応する第２の係数を示すものであり、前記補正部は、前記
第１の係数に基づいて前記階調データに加算処理を行うと共に前記第２の係数に基づいて
前記階調データに乗算処理を行って前記補正済階調データを生成することが好ましい。こ
の発明によれば、加算と乗算によって補正を実行する。なお、加算処理は、正の値を加算
する場合だけでなく、負の値を加算する場合を含むことは勿論である。この意味において
、加算処理は減算処理としても実質的に機能する。
【００１２】
また、上述した電気光学装置は、前記駆動モードと前記測定モードを指定し、前記駆動
モードを垂直走査期間の一部の期間に割り当て、前記測定モードを前記垂直走査期間のう
ち残りの期間に割り当てる制御部を備えることが好ましい。この発明によれば、画像を表
示している期間中に画素の構成要素の状態を測定して補正を行うので、正確な輝度で画像
を表示することが可能となる。電源投入した直後と、一定時間が経過した後では、画素の
温度が相違するが、この発明によれば、短期的な温度変化に追随して補正を行うことがで
き、さらに、長期的な経時変化に追随した補正を行うこともできる。
【００１３】
次に、本発明に係る電子機器は、上述した電気光学装置を備えるものであって、例えば
、発光装置や液晶装置などの表示装置、パーソナルコンピュータ、携帯電話機、デジタル
スチルカメラ、ビデオカメラなどが該当する。このほかにも例えば光書込み型の画像形成
装置（例えばプリンタ）におけるラインヘッドとしても使用され得る。
【００１４】
次に、本発明に係る電気光学装置の駆動方法は、複数のデータ線の各々に接続された複
数の画素と前記複数のデータ線の各々に対応して設けられた複数の入出力端子とを備えた
電気光学装置を駆動する方法であって、駆動モードにおいて、各画素について指定された
階調に応じたデータ信号をデータ線ごとに生成し、前記データ信号を前記入出力端子を介
して対応する前記データ線に供給し、前記データ線を介して供給される前記データ信号を
各画素に取り込み、測定モードにおいて、測定の対象となる画素に対応するデータ線及び
当該データ線に隣接するデータ線に対応する前記入出力端子を介して、当該画素の構成要
素の特性を測定するための測定信号及び前記構成要素の測定結果を示す被測定信号を入出
力し、測定の対象となる画素に対応するデータ線及び当該データ線に隣接するデータ線を
介して前記測定信号を取り込むと共に前記被測定信号を出力することを特徴とする。
【００１５】
この発明によれば、測定の対象となる画素に対応するデータ線の他、隣接する画素のデ
ータ線を用いて測定信号と被測定信号とを伝送する。すなわち、隣接するデータ線を測定
に兼用するので、測定用に特別の配線を設ける必要がなくなるか、あるいは、測定用の配
線の数を減らすことができる。さらに、測定信号及び被測定信号を、駆動モードにおいて
データ信号を入力するための入出力端子を介して、入出力するので新たに入出力端子を設
ける必要がない。くわえて、駆動用の入出力端子を用いて構成要素の測定を実行できるの
で、電気光学装置の完成後に測定を行うことが可能となる。
【００１６】
上述した電気光学装置の駆動方法において、前記電気光学装置は、前記複数のデータ線
の各々と対になる複数の電位線と、基準電位が供給される基準電位線とを備え、前記駆動
モードにおいて、前記複数のデータ線と前記複数の入出力端子とを接続すると共に、前記
基準電位線と前記複数の電位線とを接続し、前記測定モードにおいて、前記複数のデータ
線及び前記複数の電位線と前記複数の入出力端子とを選択的に接続し、測定の対象となる
画素に対応するデータ線及び電位線、並びに当該データ線に隣接するデータ線及び当該電
位線に隣接する電位線と接続された前記入出力端子を介して、前記測定信号及び前記被測
定信号を入出力することが好ましい。この発明によれば、データ線と電位線の組とこれに
隣接するデータ線と電位線の組みを用いて測定信号及び被測定信号を伝送することができ
るので、伝送する信号の数を増やすことができ、構成要素の特性を詳細に得ることが可能
となる。
【００１７】
ここで、前記測定モードで得られた前記被測定信号に基づいて前記画素間の輝度が均一
に近づくように生成した補正データを記憶し、記憶した前記補正データを用いて前記画素
の階調を示す階調データを補正して補正済階調データを生成し、前記補正済階調データに
基づいて前記データ信号を生成することが好ましい。この発明によれば、構成要素の特性
を測定し、その測定結果に基づいて補正を行うので、画素間の輝度の相違を低減すること
ができる。
【００１８】
上述した発明において電気光学素子は、電気的エネルギーによって光学特性が変化する
素子であり、例えば、有機発光ダイオードや無機発光ダイオードなどの発光素子の他、液
晶素子が含まれる。
【発明を実施するための最良の形態】
【００１９】
＜Ａ：実施形態＞
図１は、本発明の実施形態に係る電気光学装置１の構成を示すブロック図である。電気
光学装置１は、画像を表示する駆動モードと画素回路Ｐの構成要素たる駆動トランジスタ
ＮＨ１及びＯＬＥＤ素子１１（図２参照）の電気的特性を測定する測定モードで動作する
。図１に示されるように、電気光学装置１は、電気光学パネル１０、走査線駆動回路２２
、データ線駆動回路２４、電圧生成回路２７、制御回路２９、補正回路３０、及びメモリ
４０を備える。
【００２０】
電気光学パネル１０の画素領域Ａには、Ｘ方向（行方向）に延在するｍ（ｍは自然数）
本の走査線１２が形成される。なお、図１では省略されているが、走査線１２と平行に５
本の制御線が形成されている。また、画素領域Ａには、Ｘ方向と直交するＹ方向（列方向
）に延在するｎ本のデータ線１４とデータ線１４と対になる電位線１７とが形成される（
ｎは自然数）。そして、走査線１２とデータ線１４との各交差に対応して画素回路Ｐが配
置される。したがって、これらの画素回路Ｐは、画素領域Ａ内においてＸ方向及びＹ方向
にわたってマトリクス状に配列する。各画素回路Ｐは電流駆動型の自発光素子たるＯＬＥ
Ｄ素子１１を含む。なお、図に示す「Ｒ」、「Ｇ」、「Ｂ」は、各画素回路Ｐの表示色を
表している。この場合、ＯＬＥＤ素子１１の発光色が「Ｒ」、「Ｇ」、「Ｂ」に対応して
いてもよいし、ＯＬＥＤ素子１１の発光色が白色で色フィルタによって表示色を得てもよ
い。
【００２１】
また、電気光学パネル１０の端部には、ｎ本のデータ線１４に各々対応するｎ個の入出
力端子Ｔ１〜Ｔｎが設けられている。さらに、複数の入出力端子Ｔ１〜Ｔｎと複数のデー
タ線１４及び複数の電位線１７との間には切替回路２５が形成されている。切替回路２５
は、Ｒ基準電位ＲＥＦ−Ｒ、Ｇ基準電位ＲＥＦ−Ｇ、及びＢ基準電位ＲＥＦ−Ｂを供給す
る基準電位線Ｌｒ、Ｌｂ、Ｌｇを有する。切替回路２５は、駆動モードにおいて、複数の
データ線１４と複数の入出力端子Ｔ１〜Ｔｎとを接続すると共に基準電位線Ｌｒ、Ｌｂ、
Ｌｇと複数の電位線１４とを接続し、測定モードにおいて、複数のデータ線１４及び複数
の電位線１７と複数の入出力端子Ｔ１〜Ｔｎとを選択的に接続する。
【００２２】
走査線駆動回路２２及びデータ線駆動回路２４はＩＣチップであり、電気光学パネル１
０の外部（例えば電気光学パネル１０に実装された配線基板上）に実装されている。なお
、ＣＯＧ（Chip On Glass）技術によって走査線駆動回路２２及びデータ線駆動回路２４
の少なくとも一方を電気光学パネル１０に実装してもよい。走査線駆動回路２２は、ｍ本
の走査線１２の各々を順次に選択すると共に、各選択線に選択信号を供給する。より具体
的には、走査線駆動回路２２は、水平走査期間ごとに順番にアクティブレベル（Ｈレベル
）となる走査信号ＥＷ−１、ＥＷ−２、…、ＥＷ−ｍを各走査線１２に対して出力する。
走査信号ＥＷ−ｉ（ｉは１≦ｉ≦ｍを満たす整数）がアクティブレベルになると第ｉ行が
選択されたことを意味する。選択信号の詳細は後述する。
【００２３】
一方、データ線駆動回路２４は、駆動モードにおいて、走査線駆動回路２２が選択した
走査線１２に接続された各画素回路Ｐに対してデータ信号Ｄを供給する。データ信号Ｄｊ
（ｊは１≦ｊ≦ｎを満たす整数）は第ｊ列目の画素回路Ｐの輝度（階調）を指定する電圧
信号である。また、データ線駆動回路２４は、測定モードにおいて画素回路Ｐへ測定信号
Ｆを供給すると共に、画素回路Ｐから測定結果を示す被測定信号Ｍを取得する。なお、走
査線駆動回路２２は、ＩＣチップで構成するだけでなく、一部あるいはすべてをガラス基
板内に形成することも可能である。
【００２４】
電圧生成回路２７は、電気光学装置１で用いられる以下の電圧を生成する。まず、電源
電圧ＶＥ−Ｒ、ＶＥ−Ｇ、及びＶＥ−Ｂは、Ｒ色、Ｇ色、及びＢ色の画素回路Ｐに各々供
給される電圧であって、制御回路２９から供給される制御信号によって、出力するか否か
が制御される。駆動モードにおいては常時出力されるが、測定モードでは後述するように
測定の対象となる画素回路Ｐを色別に制御し、対応する電源電圧のみを出力する。次に、
電圧生成回路２７は、Ｒ基準電位ＲＥＦ−Ｒ、Ｇ基準電位ＲＥＦ−Ｇ、及びＢ基準電位Ｒ
ＥＦ−Ｂを出力する。Ｒ基準電位ＲＥＦ−Ｒ、Ｇ基準電位ＲＥＦ−Ｇ、及びＢ基準電位Ｒ
ＥＦ−Ｂは、駆動トランジスタのソース電位を規定する電圧である。
【００２５】
制御回路２９は、走査線駆動回路２２、データ線駆動回路２４、切替回路２５、及び電
圧生成回路２７に制御信号を供給して、これらの回路を制御する。また制御回路２９は、
駆動モードと測定モードの切り替えを実行する。例えば、垂直帰線期間の一部又は全部に
測定モードを割り当てもよい。この場合、測定時間を確保する観点から少なくとも１水平
走査期間は測定モードに割り当てることが好ましい。このように測定モードを割り当てる
ことによって、時々刻々と変化する駆動トランジスタやＯＬＥＤ素子の状態に追随して補
正を行うことが可能となり、表示品質を向上することができる。なお、垂直帰線期間以外
の期間に測定モードを割り当ても良い。要は、表示に影響のない期間に特性の測定を実行
すればよい。例えば、制御回路２９は、駆動モードと測定モードを指定し、駆動モードを
垂直走査期間の一部の期間に割り当て、測定モードを垂直走査期間のうち残りの期間に割
り当ててもよい。
【００２６】
補正回路３０は、測定モードにおいて、測定信号Ｆをデータ線駆動回路２４を供給する
と共に被測定信号Ｍをデータ線駆動回路２４から取得する。そして、補正回路３０は取得
した被測定信号Ｍに基づいて、補正データＤｈを生成し、生成した補正データＤｈをメモ
リ４０に記憶する。一方、駆動モードにおいて、補正回路３０は、補正データＤｈをメモ
リ４０から読み出し、補正データＤｈに基づいて階調データｄを補正して得た補正済階調
データｄｈをデータ線駆動回路２４に供給する。例えば、補正データＤｈは、駆動トラン
ジスタの閾値電圧に対応する第１のデータＨ１と、駆動トランジスタの電流増幅率に対応
する第２のデータＨ２を有する。補正回路３０は、リニアドライバで構成されており、以
下に示す式に従って線形の演算を実行して補正済階調データｄｈを生成する。
Ｄｈ＝（Ｈ１，Ｈ２）
ｄｈ＝Ｈ１＋Ｈ２*Ｄｈ
【００２７】
第１のデータＨ１と第２のデータＨ２は、駆動トランジスタの電流−電圧特性を測定す
ることによって得られ、画素間の輝度が均一に近づくように設定される。なお、この例の
メモリ４０は揮発性であるが、不揮発性であってもよい。また、駆動電流と発光輝度の測
定を製品の出荷時や、電源投入直後に実行し、そこで得られた補正データとリアルタイム
で測定して得た補正データを組み合わせて階調データｄを補正してもよい。
【００２８】
次に、図２を参照して画素回路Ｐの構成を説明する。同図においては、第ｉ行目に属す
るＲ色に対応する画素回路Ｐのみが図示されているが、その他の画素回路Ｐも同様の構成
である。本実施形態における画素回路Ｐは、データ信号Ｄの電圧値に応じてＯＬＥＤ素子
１１の輝度（階調）が制御される電圧駆動型（いわゆる電圧プログラミング方式）の回路
であるが、電流駆動型（いわゆる電流プログラミング方式）を採用してもよい。
【００２９】
図２に示されるように、画素回路Ｐは、ＯＬＥＤ素子１１、容量素子ＣＨ１、ｐチャネ
ル型のトランジスタＰ１、ｎチャネル型のトランジスタＮ１〜Ｎ４、ＮＴ１及びＮＴ２、
並びに駆動トランジスタＮＨ１を備える。ＯＬＥＤ素子１１に流れ込む駆動電流は、駆動
トランジスタＮＨ１のゲート・ソース間電圧によって定まる。駆動トランジスタＮＨ１の
ゲートとソースとの間には容量素子ＣＨ１が設けられている。容量素子ＣＨ１は、駆動モ
ードの書込期間において書き込まれた電圧を保持する手段である。また、第１制御線Ｌ１
を介して制御信号ＸＥＰ−ｉが、第２制御線Ｌ２を介して制御信号ＥＴＢ−ｉが、第３制
御線Ｌ３を介して制御信号ＥＴＧ−ｉが、第４制御線Ｌ４を介して制御信号ＥＴＲ−ｉが
、第５制御線Ｌ５を介して制御信号ＥＮ−ｉが、走査線駆動回路２２から供給される。
【００３０】
トランジスタＰ１のソースには電源電圧ＶＥＬ−Ｒが供給され、そのゲートには制御信
号ＸＥＰ−ｉが供給され、そのドレインが駆動トランジスタＮＨ１のドレインと接続され
る。制御信号ＸＥＰ−ｉがローレベル（アクティブ）になると、トランジスタＰ１がオン
状態となり、電源電圧ＶＥＬ−Ｒが駆動トランジスタＮＨ１に供給される。
【００３１】
駆動トランジスタＮＨ１のゲートとデータ線１４との間にはトランジスタＮ２が設けら
れている。トランジスタＮ２のゲートには走査線１２を介して走査信号ＥＷ−ｉが供給さ
れる。走査信号ＥＷ−ｉがハイレベルになると、データ線１４を介して供給されるデータ
信号Ｄｊが容量素子ＣＨ１の一方の端子に印加される。また、駆動トランジスタＮＨ１の
ソースと電位線１７との間には、トランジスタＮ３及びＮ４が設けられている。トランジ
スタＮ４のゲートには電源電圧ＶＥＬ−Ｒが供給される。電源電圧ＶＥＬ−Ｒは駆動モー
ドにおいて常時ハイレベルであるから、トランジスタＮ４は駆動モードにおいて常時オン
状態となる。一方、トランジスタＮ３のゲートには走査信号ＥＷ−ｉが供給される。した
がって、ｉ行目の走査線１２が選択されると、トランジスタＮ３がオン状態となり、Ｒ基
準電位ＲＥＦ−Ｒが容量素子ＣＨ１の他方の端子に供給される。その後、走査信号ＥＷ−
ｉがローレベルに変化しても容量素子ＣＨ１の端子間には表示すべき階調に応じた電圧が
保持される。
【００３２】
駆動トランジスタＮＨ１のソースとＯＬＥＤ素子１１の陽極との間にはトランジスタＮ
１が設けられており、そのゲートには制御信号ＥＮ−ｉが供給される。制御信号ＥＮ−ｉ
は、駆動モードの発光期間にハイレベルとなり、当該期間に駆動電流がＯＬＥＤ素子１１
に供給される。
【００３３】
また、駆動トランジスタＮＨ１のソースと当該画素回路Ｐに隣接する画素回路のデータ
線１４との間にはトランジスタＮＴ１が設けられており、ＯＬＥＤ素子１１の陽極と当該
画素回路Ｐに隣接する画素回路の電位線１７との間にはトランジスタＮＴ２が設けられて
いる。トランジスタＮＴ１及びＮＴ２のゲートは第４制御線Ｌ４と接続される。なお、Ｇ
色の画素回路Ｐにあってはそれらのゲートが第３制御線Ｌ３に接続され、Ｂ色の画素回路
Ｐにあってはそれらのゲートが第２制御線Ｌ２に接続される。
【００３４】
図３に、駆動モードにおける画素回路Ｐの動作を説明するためのタイミングチャートを
示し、図４に書込期間における画素回路Ｐの状態を示し、図５に発光期間における画素回
路Ｐの状態を示す。図３に示すように、走査信号ＥＷ−１、ＥＷ−２、…は、１水平走査
期間１Ｈごとに順次ハイレベルとなる。各走査信号ＥＷがハイレベルとなる期間が書込期
間Ｔｗｒｔである。書込期間Ｔｗｒｔにおいて、制御信号ＸＥＰ−１はハイレベルとなる
からトランジスタＰ１はオフ状態、走査信号ＥＷ-１はハイレベルとなるからトランジス
タＮ２及びＮ３はオン状態、制御信号ＥＮ−１はローレベルとなるからトランジスタＮ１
はオフ状態、制御信号ＥＴＲ−１はローレベルとなるからトランジスタＮＴ１及びＮＴ２
はオフ状態、となる。この結果、駆動トランジスタＮＨ１のゲートにデータ信号Ｄ１が供
給される一方、駆動トランジスタＮＨ１のソースにＲ基準電位ＲＥＦ−Ｒが供給され、容
量素子ＣＨ１によって電位差が保持される。
【００３５】
また、発光期間Ｔｅｌにおいて、制御信号ＸＥＰ−１はローレベルとなるからトランジ
スタＰ１はオン状態、走査信号ＥＷ-１はローレベルとなるからトランジスタＮ２及びＮ
３はオフ状態、制御信号ＥＮ−１はハイレベルとなるからトランジスタＮ１はオン状態、
制御信号ＥＴＲ−１はローレベルとなるからトランジスタＮＴ１及びＮＴ２はオフ状態と
なる。この結果、駆動トランジスタＮＨ１のゲート及びソースはデータ線１４及び電位線
１７から分離される。このとき、トランジスタＰ１を介して電源電圧ＶＥＬ−Ｒが駆動ト
ランジスタＮＨ１のドレインに印加され、駆動電流ＩｅｌがトランジスタＮ１を介してＯ
ＬＥＤ素子１１に流れ込む。駆動電流Ｉｅｌの大きさは駆動トランジスタＮＨ１のゲート
・ソース間電圧に応じて定まり、データ信号Ｄ１は補正済階調データｄｈに基づいて生成
したものであり、Ｒ基準電位ＲＥＦ−Ｒは固定である。したがって、駆動電流Ｉｅｌは表
示すべき階調に応じたものとなる。これにより、ＯＬＥＤ素子１１を所望の輝度で発光さ
せることが可能となる。
【００３６】
図６に、切替回路２５の詳細とその周辺回路の構成を示す。切替回路２５は、Ｒ色用の
スイッチ群ＳＷＲ、Ｇ色用のスイッチ群ＳＷＧ、及びＢ色用のスイッチ群ＳＷＢを含む。
各スイッチ群は５個のスイッチＳｒ１〜Ｓｒ５、Ｓｇ１〜Ｓｇ５、Ｓｇ１〜Ｓｇ５を各々
含む。これらのスイッチは、制御端子に供給される制御信号がハイレベルのときオン状態
となり、ローレベルのときオフ状態となる。また、切替回路２５は、Ｒ基準電位ＲＥＦ−
Ｒが供給される基準電位線Ｌｒ、Ｂ基準電位ＲＥＦ−Ｂが供給される基準電位線Ｌｂ、及
びＧ基準電位ＲＥＦ−Ｇが供給される基準電位線Ｌｇを含んでおり、基準電位線Ｌｒ、Ｌ
ｇ、及びＬｂはスイッチＳｒ３、Ｓｇ３、及びＳｂ３と各々接続されている。
【００３７】
上述した駆動モードにおいては、制御信号ＶＧ−Ｒ、ＶＧ−Ｇ、及びＶＧ−Ｂ、並びに
ＶＲＥ−Ｒ、ＶＲＥ−Ｇ、及びＶＲＥ−Ｇがハイレベルとなり、他の制御信号はローレベ
ルとなる。したがって、スイッチＳｒ１、Ｓｇ１、及びＳｂ１、並びにＳｒ３、Ｓｇ３、
及びＳｂ３がオン状態となり、他のスイッチはオフ状態となる。すなわち、切替回路２５
は、駆動モードにおいて、複数のデータ線１４と複数の入出力端子Ｔ１〜Ｔｎとを接続す
ると共に、基準電位線Ｌｒ、Ｌｇ、及びＬｂと複数の電位線１７とを各々接続する手段と
して機能する。
【００３８】
図７に測定モードにおける各種の制御信号の真理値表を示す。この例の測定モードは、
駆動トランジスタＮＨ１の特性を測定する第１モードと、ＯＬＥＤ素子１１の特性を測定
する第２モードとを含む。また、第１モード及び第２モードにおいて、測定の対象となる
画素回路Ｐは、次のように特定する。第１に、測定は行ごとに行う。この例では、第１行
、第２行、…第ｍ行の順に測定を行う。第２に、行ごとの測定において、当該行に属する
全ての画素回路Ｐを同時に測定するのではなく、Ｒ色の画素回路Ｐ、Ｇ色の画素回路Ｐ、
Ｂ色の画素回路Ｐの順で測定を行う。換言すれば、３個の画素回路Ｐおきに測定し、測定
の対象となる画素回路をずらして測定を３回繰り返す。なお、この例では、３回の測定で
あるが、より一般的には、Ｎ（Ｎは２以上の自然数）個の画素回路Ｐおきに測定し、測定
の対象となる画素回路Ｐをずらして測定をＮ回繰り返してもよい。
【００３９】
図８に第１モードにおいて測定の対象となる画素回路ＰがＧ色である場合の動作を示す
。図７の太枠で示すように制御信号ＸＥＰ−ｉはローレベル、制御信号ＥＴＧ−ｉはハイ
レベル、走査信号ＥＷ−ｉはハイレベルとなるから、図８に示すようにトランジスタＰ１
、Ｎ２、Ｎ３はオン状態となり、トランジスタＮ１はオフ状態となる。さらに、電源電圧
ＶＥＬ−Ｇはオン（ハイレベル）、ＶＥＬ−Ｒ及びＶＥＬ−Ｂはオフ（ローレベル）とな
るから、Ｇ色の画素回路ＰのトランジスタＮ４はオン状態となる一方、Ｒ色及びＢ色の画
素回路ＰのトランジスタＮ４はオフ状態となる。くわえて、制御信号ＥＴＧ−ｉがハイレ
ベルとなるので、Ｇ色の画素回路ＰのトランジスタＮＴ１及びＮＴ２がオン状態となる。
一方、制御信号ＥＴＲ−ｉ及びＥＴＢ−ｉがローレベルとなるので、Ｒ色及びＢ色の画素
回路ＰのトランジスタＮＴ１及びＮＴ２がオフ状態となる。
【００４０】
次に、切替回路２５に供給される制御信号ＶＧ-Ｇ、ＶＭ−Ｇ、及びＶＦＩＭ−Ｇはハ
イレベルとなり、他の制御信号はローレベルとなる。したがって、図８に示すようにスイ
ッチ群ＳＷＧのスイッチＳｇ１及びＳｇ４がオン状態になると共に、スイッチ群ＳＷＢの
スイッチＳｂ５がオン状態となる。
このとき、ゲート電圧ＶＧＩＮが、測定信号Ｆとして、入出力端子Ｔ２→スイッチＳｇ
１→Ｇ色の画素回路に対応するデータ線１４（Ｇ）→トランジスタＮ２→駆動トランジス
タＮＨ１のゲートの経路で印加される。また、ソース電圧ＶＳＩＮが、測定信号Ｆとして
、入出力端子Ｔ４→スイッチＳｂ５→Ｂ色の画素回路に対応するデータ線１４（Ｂ）→ト
ランジスタＮＴ１→駆動トランジスタＮＨ１のソースの経路で印加される。さらに、駆動
トランジスタＮＨ１のソース電圧ＶＳが被測定信号Ｍとして、駆動トランジスタＮＨ１の
ソース→トランジスタＮ４→トランジスタＮ３→Ｇ色の画素回路に対応する電位線１７（
Ｇ）→スイッチＳｇ４→入出力端子Ｔ３の経路で取り出される。
【００４１】
図１０（Ａ）に駆動トランジスタＮＨ１の特性測定の回路を簡略化して示す。この図に
示すように入出力端子Ｔ２及びＴ４を介して測定信号Ｆ（ＶＧＩＮ、ＶＳＩＮ）が供給さ
れ、入出力端子Ｔ３を介して被測定信号Ｍ（ＶＳ）が出力される。また、入出力端子Ｔ４
の経路には電流計が設けられており、電流が測定される。これによって、駆動トランジス
タＮＨ１の電圧−電流特性が測定される。
【００４２】
駆動モードにおいては、図８に示す入出力端子Ｔ２からＧ色のデータ信号をデータ線１
４（Ｇ）に向けて出力すると共に、電位線１７（Ｇ）に向けてＧ基準電位ＲＥＦ−Ｇを出
力した。これに対して第１モードでは、Ｇ色の画素回路の駆動トランジスタＮＨ１の特性
を測定するに際して、データ線１４（Ｇ）及び電位線１７（Ｇ）の他に、データ線１４（
Ｇ）と隣接するデータ線１４（Ｂ）を用いて、測定信号Ｆ及び被測定信号Ｍを入出力した
。測定用の配線と駆動用の配線を兼用することにより、配線数を削減することができる。
また、測定を表示色ごとに行うことで、ある表示色（例えば、Ｇ色）の測定中に他の表
示色の入出力端子（例えば、Ｔ３及びＴ４）を用いて信号を入出力することができる。こ
の結果、駆動用とは別に測定用の入出力端子を設けるがなくなる。さらに、同じ表示色の
画素回路については、並列に測定を実行するので測定時間を短縮することも可能となる。
【００４３】
図９に第２モードにおいて測定の対象となる画素回路ＰがＧ色である場合の動作を示す
。図７の太枠で示すように制御信号ＥＮ−ｉはハイレベルとなるから、図８に示すように
トランジスタＮ１はオン状態となり、トランジスタＰ１、Ｎ２、Ｎ３はオフ状態となる。
さらに、電源電圧ＶＥＬ−Ｇはオン（ハイレベル）、ＶＥＬ−Ｒ及びＶＥＬ−Ｂはオフ（
ローレベル）となるから、Ｇ色の画素回路ＰのトランジスタＮ４はオン状態となる一方、
Ｒ色及びＢ色の画素回路ＰのトランジスタＮ４はオフ状態となる。くわえて、制御信号Ｅ
ＴＧ−ｉがハイレベルとなるので、Ｇ色の画素回路ＰのトランジスタＮＴ１及びＮＴ２が
オン状態となる。一方、制御信号ＥＴＲ−ｉ及びＥＴＢ−ｉがローレベルとなるので、Ｒ
色及びＢ色の画素回路ＰのトランジスタＮＴ１及びＮＴ２がオフ状態となる。
【００４４】
次に、切替回路２５に供給される制御信号ＶＭＯＬ-Ｇ及びＶＦＩＭ−Ｇはハイレベル
となり、他の制御信号はローレベルとなる。したがって、図９に示すようにスイッチ群Ｓ
ＷＢのスイッチＳｂ２及びＳｂ５がオン状態になる。
このとき、印加電圧ＶＦが、測定信号Ｆとして、入出力端子Ｔ４→スイッチＳｂ５→Ｂ
色の画素回路に対応するデータ線１４（Ｂ）→トランジスタＮＴ１→トランジスタＮ１→
ＯＬＥＤ素子１１の陽極の経路で印加される。また、ＯＬＥＤ素子１１の陽極の電圧ＶＭ
が、被測定信号Ｍとして、ＯＬＥＤ素子１１の陽極→トランジスタＮＴ２→Ｂ色の画素回
路に対応する電位線１７（Ｂ）→スイッチＳｂ２→入出力端子Ｔ３の経路で取り出される
。
【００４５】
図１０（Ｂ）にＯＬＥＤ素子１１の特性測定の回路を簡略化して示す。この図に示すよ
うに入出力端子Ｔ４を介して測定信号Ｆ（ＶＦ）が供給され、入出力端子Ｔ３を介して被
測定信号Ｍ（ＶＭ）が出力される。また、入出力端子Ｔ４の経路には電流計が設けられて
おり、電流が測定される。これによって、ＯＬＥＤ素子１１の電圧−電流特性が測定され
る。
【００４６】
第２モードは、Ｇ色の画素回路のＯＬＥＤ素子１１の特性を測定するに際して、データ
線１４（Ｂ）及び電位線１７（Ｂ）を用いて測定信号Ｆ及び被測定信号Ｍを入出力したの
で、測定用の配線と駆動用の配線を兼用して、配線数を削減することができる。また、２
個の入出力端子Ｔ３及びＴ４を用いて、測定信号Ｆ及び被測定信号Ｍを入出力した。この
結果、駆動用とは別に測定用の入出力端子を設けるがなくなる。さらに、同じ表示色の画
素回路については、並列に測定を実行するので測定時間を短縮することも可能となる。
このように本実施形態においては、隣接する画素回路のデータ線１４や電位線１７を用
いることによって、入出力端子Ｔ１〜Ｔｎを増設することなく、測定信号（Ｆ）及び被測
定信号（Ｍ）を伝送した。したがって、測定用の入出力端子に測定装置を接続して信号の
送受信を実行する必要がなくなり、駆動モードで使用する入出力端子Ｔ１〜Ｔｎを用いて
特性の測定を実行することができる。したがって、電気光学装置１の完成後であっても駆
動トランジスタＮＨ１やＯＬＥＤ素子１１の特性を測定し、その測定結果に基づいて輝度
が均一になるように補正を行うことが可能となる。
【００４７】
＜Ｂ：変形例＞
実施形態に対しては種々の変形が加えられる。具体的な変形の態様を挙げれば以下の通
りである。なお、以下の各態様を適宜に組み合わせた構成も採用される。
【００４８】
（１）実施形態の第２モードでは、ＲＧＢ色ごとにＯＬＥＤ素子１１の特性を測定するた
めに、制御信号ＥＴＲ、ＥＴＧ及びＥＴＢを用い、トランジスタＮＴ１及びＮＴ２を制御
したが、測定信号Ｆ及び被測定信号Ｍの入出力に必要な入出力端子数は「２」である。こ
のため、奇数番目の列と偶数番目の列を交互に測定してもよい。この場合、奇数番目の列
を選択する制御信号ＥＴ１と偶数番目の列を選択する制御信号ＥＴ２を用いればよい。具
体手的には、図１１に示すように制御信号ＥＴ１を供給する制御線Ｌａと制御信号ＥＴ２
を供給する制御線Ｌｂを設けれがばよい。この場合には、制御線の本数を低減することが
でき、且つ、制御回路２９の構成を簡略化できる。
【００４９】
（２）さらに、トランジスタＮＴ１及びＮＴ２のオン・オフを電源電圧ＶＥＬ−Ｒ、ＶＥ
Ｌ−Ｇ、ＶＥＬ−Ｂによって制御してもよい。例えば、図１２に示す画素回路Ｐを採用す
ることができる。この場合、トランジスタＮＴ１及びＮＴ２のゲートには電源電圧ＶＥＬ
−Ｒが供給されるので、電源電圧ＶＥＬ−Ｒを有効にするか否かによってトランジスタＮ
Ｔ１及びＮＴ２のオン・オフを制御することができる。
【００５０】
（３）実施形態の第１モードでは、駆動トランジスタＮＨ１のソース電圧ＶＳを被測定信
号Ｍとして出力したが、これに加えてドレイン電圧を測定してもよい。例えば、図１３に
示す画素回路Ｐを採用することができる。この場合には、電位線１７に沿って測定用配線
１８が形成されおり、配線１８と駆動トランジスタＮＨ１のドレインとの間にＰチャネル
型のトランジスタＰ２が設けられる。トランジスタＰ２のゲートには制御線Ｌ６を介して
制御信号ＸＥＴＰ−１が供給される。制御信号ＸＥＴＰ−１をローレベルに設定すること
によって、駆動トランジスタＮＨ１のドレイン電圧を被測定信号Ｍとして、配線１８を介
して取り出すことができる。図１４に、第１モードにおける画素回路Ｐを簡略化した模式
図を示す。この例では、測定信号Ｆ及び被測定信号Ｍが４つになるので、４個の入出力端
子を用いる。
ここで、測定の対象となる行については、制御信号ＸＥＰ及びＸＥＴＰをローレベル、
制御信号ＥＷをハイレベルにしてトランジスタＰ１、Ｐ２、及びＮ２〜Ｎ４をオン状態に
するが、それ以外の非選択行については、トランジスタＰ２はＯＦＦ状態にすることは必
要であるが、他のトランジスタについても制御信号の論理レベルを反転させて、トランジ
スタＰ１、及びＮ２〜Ｎ４をオフ状態にしてもよい。この場合、非選択行のトランジスタ
Ｐ２にリーク電流が配線１８を介して流れると、測定の対象となる駆動トランジスタＮＨ
１のドレイン電圧の測定精度が低くなる。この非選択行のトランジスタＰ２のゲートがハ
イレベル（オフ状態）でのリーク電流がドレイン−ソース間電圧が大きくなると増大する
傾向が強ければ、ドレイン−ソース電圧を小さくすることによりリーク電流を減少させる
ことが可能である。トランジスタＰ２のソース及びドレインは一方が画素内のトランジス
タＰ１に接続され、他方が被測定線１８に接続されている。被測定線１８がハイレベルに
近い電圧となる場合には、トランジスタＰ２のソース−ドレイン間電圧を小さくするため
に、トランジスタＰ２のドレインをハイレベルに設定してリーク電流を低減してもよい。
この場合には、非選択行に供給する制御信号ＸＥＰをローレベルにしてトランジスタＰ１
をオン状態にすればよい。尤も駆動トランジスタＮＨ１のゲート・ソース間電圧の測定精
度を優先させる場合には、非選択行における駆動トランジスタＮＨ１のリーク電流を低減
するために、制御信号ＸＥＰをハイレベルにすることが好ましい。非選択行における制御
信号ＸＥＰの論理レベルは、測定精度の要求に応じて適宜定めればよい。また各トランジ
スタのリーク電流を減少させるには、各トランジスタをゲート共通の直列トランジスタで
構成する方法、いわゆるデュアルゲートトランジスタで構成することも有効である。
要は、トランジスタＰ２に限らず、測定線、被測定線に接続される非選択行のトランジ
スタＰ２、ＮＴ１、ＮＴ２、Ｎ３、及びＮ４については、ゲートをオフ状態にするだけで
なく、ソース−ドレイン間の電圧を小さくすることによってリーク電流を減少させ、結果
的に測定精度を上げることができる。そのため、非選択行の他の制御信号を適時制御する
ことが好ましい。つまり、どの測定値の精度をあげるかで非選択行の制御方法を変更して
もよい。なお、トランジスタＮ２については一方がトランジスタＮＨ１のゲートにのみ接
続されている状態のため、ソース−ドレイン間の電圧に依存するリークは発生しない。
【００５１】
（４）実施形態では、駆動トランジスタＮＨ１とＯＬＥＤ素子１１の特性を個別に測定し
たが、これらを同時に測定してもよい。図１５に同時測定における画素回路Ｐを簡略化し
た模式図を示す。この場合、トランジスタＮ１をオン状態として駆動トランジスタＮＨ１
からＯＬＥＤ素子１１に駆動電流を供給する。同時測定では測定時間を短縮することがで
きる。なお、同時測定と個別測定を混在させてもよい。
【００５２】
（５）実施形態では切替回路２５に基準電位線Ｌｒ、Ｌｂ、Ｌｇを設けたが、これをデー
タ線駆動回路２４に設け、データ線１４と電位線１７に各々対応する入出力端子を設けて
もよい。例えば、図１６に示すように入出力端子Ｔａ、Ｔｂからデータ信号ＤとＲ基準電
位ＲＥＦ−Ｒを出力してもよい。データ線１４と電位線１７は隣接して形成されており、
駆動トランジスタＮＨ１のゲート・ソース間電圧はデータ線１４の電位と電位線１７の電
位の差分で定まるので、同相ノイズがこれらに重畳しても差分としてはノイズ成分を打ち
消すことができる。したがって、ノイズに強い電気光学装置１を提供できる。
【００５３】
（６）各実施形態においては、ＯＬＥＤ素子１１を駆動するためのトランジスタを備えた
アクティブマトリクス方式の電気光学装置を例示したが、画素回路Ｐがこれらのスイッチ
ング素子を持たないパッシブマトリクス方式の電気光学装置にも本発明は適用される。
【００５４】
（７）各実施形態においては電流駆動型の自発光素子たるＯＬＥＤ素子１１を利用した電
気光学装置１を例示したが、これ以外の電流駆動型の電気光学素子や電圧駆動型の電気光
学素子を利用した電気光学装置にも本発明は適用される。例えば、液晶表示装置、無機Ｅ
Ｌ素子を利用した表示装置、電界放出ディスプレイ（ＦＥＤ：Field  Emission Display
）、表面導電型電子放出ディスプレイ（ＳＥＤ：Surface-conduction  Electron-emitter
Display）、弾道電子放出ディスプレイ（ＢＳＤ：Ballistic  electron  Surface  emi
tting  Display）、発光ダイオードを利用した表示装置、あるいは光書込み型のプリンタ
や電子複写機の書き込みヘッドといった各種の電気光学装置にも本発明は適用される。
【００５５】
＜Ｃ：応用例＞
次に、本発明に係る電気光学装置を適用した電子機器について説明する。図１７は、実
施形態に係る電気光学装置１を表示装置として採用したモバイル型のパーソナルコンピュ
ータの構成を示す斜視図である。パーソナルコンピュータ２０００は、表示装置としての
電気光学装置１と本体部２０１０とを備える。本体部２０１０には、電源スイッチ２００
１及びキーボード２００２が設けられている。この電気光学装置１はＯＬＥＤ素子１１を
用いるので、視野角が広く見易い画面を表示できる。
【００５６】
図１８に、実施形態に係る電気光学装置１を適用した携帯電話機の構成を示す。携帯電
話機３０００は、複数の操作ボタン３００１及びスクロールボタン３００２、ならびに表
示装置としての電気光学装置１を備える。スクロールボタン３００２を操作することによ
って、電気光学装置１に表示される画面がスクロールされる。
【００５７】
図１９に、実施形態に係る電気光学装置１を適用した情報携帯端末（ＰＤＡ：Personal
Digital Assistants）の構成を示す。情報携帯端末４０００は、複数の操作ボタン４０
０１及び電源スイッチ４００２、ならびに表示装置としての電気光学装置１を備える。電
源スイッチ４００２を操作すると、住所録やスケジュール帳といった各種の情報が電気光
学装置１に表示される。
【００５８】
なお、本発明に係る電気光学装置が適用される電子機器としては、図１７から図１９に
示したもののほか、デジタルスチルカメラ、テレビ、ビデオカメラ、カーナビゲーション
装置、ページャ、電子手帳、電子ペーパー、電卓、ワードプロセッサ、ワークステーショ
ン、テレビ電話、ＰＯＳ端末、プリンタ、スキャナ、複写機、ビデオプレーヤ、タッチパ
ネルを備えた機器等などが挙げられる。
【図面の簡単な説明】
【００５９】
【図１】本発明の実施形態に係る電気光学装置の構成を示すブロック図である。
【図２】画素回路の構成を示す回路図である。
【図３】駆動モードにおける電気光学装置の動作を示すタイミングチャートである。
【図４】書込期間における画素回路の状態を示す説明図である。
【図５】発光期間における画素回路の状態を示す説明図である。
【図６】切替回路とその周辺回路の構成を示す回路図である。
【図７】測定モードにおける各種の制御信号の真理値表である。
【図８】第１モードにおいて測定の対象となる画素回路がＧ色である場合の動作を示す説明図である。
【図９】第２モードにおいて測定の対象となる画素回路がＧ色である場合の動作を示す説明図である。
【図１０】測定モードにおける画素回路を簡略化して示す説明図である。
【図１１】変形例に係る画素回路の例を示す回路図である。
【図１２】変形例に係る画素回路の例を示す回路図である。
【図１３】変形例に係る画素回路の例を示す回路図である。
【図１４】第１モードにおける変形例の画素回路を簡略化して示す説明図である。
【図１５】測定モードにおける変形例の画素回路を簡略化して示す説明図である。
【図１６】変形例に係る入出力端子を説明するためのブロック図である。
【図１７】本発明を適用したパーソナルコンピュータの構成を示す斜視図である。
【図１８】本発明を適用した携帯電話機の構成を示す斜視図である。
【図１９】本発明を適用した携帯型情報端末の構成を示す斜視図である。
【符号の説明】
【００６０】
１…電気光学装置、１１…ＯＬＥＤ素子、１４…データ線、１７…電位線、２４…データ
線駆動回路、２５…切替回路、Ｐ…画素回路、Ｄ…データ信号、Ｆ…測定信号、Ｍ…被測
定信号、Ｌｒ，Ｌｇ，Ｌｂ…基準電位線、Ｔ１〜Ｔｎ…入出力端子、ＮＨ１…駆動トラン
ジスタ、ｄ…階調データ、Ｄｈ…補正データ、ｄｈ…補正済階調データ。
【図１】
2007256733.tif 000003
【図２】
2007256733.tif 000004
【図３】
2007256733.tif 000005
【図４】
2007256733.tif 000006
【図５】
2007256733.tif 000007
【図６】
2007256733.tif 000008
【図７】
2007256733.tif 000009
【図８】
2007256733.tif 000010
【図９】
2007256733.tif 000011
【図１０】
2007256733.tif 000012
【図１１】
2007256733.tif 000013
【図１２】
2007256733.tif 000014
【図１３】
2007256733.tif 000015
【図１４】
2007256733.tif 000016
【図１５】
2007256733.tif 000017
【図１６】
2007256733.tif 000018
【図１７】
2007256733.tif 000019
【図１８】
2007256733.tif 000020
【図１９】
2007256733.tif 000021